(57)【要約】本発明は、放送標準になっているCRT水準の色再現性を実現するための平板表示装置における色度補正装置及びその方法に関する。本発明は、補正動作を行う前に予めルックアップテーブルに受信された映像信号に対する色座標を９個の小領域に分割して、各々の分割された小領域を互いに異なる基準色座標の分割領域と一つずつ互いに対応させて算出された複数の変換距離情報と前記映像信号の状態による補正値とを記憶する。その後、本発明は、前記複数の変換距離情報を補間法で変換させることによって前記映像信号を変換し、前記変換された映像信号の状態によって前記ルックアップテーブルから前記補正値を抽出して、前記映像信号を補正する。したがって、本発明の平板表示装置は、放送標準になっている映像信号を、色ずれなく、平板表示装置が再現できる最大色範囲までの色再現性で、表示する。
2005530449.tif 000002
【特許請求の範囲】
【請求項１】
受信された映像信号に対する色座標を９個の小領域に分割して、それぞれの分割された小領域を互いに異なる基準色座標の分割領域と一つずつ互いに対応させて算出された複数の変換距離情報と前記映像信号の状態による補正値とを記憶するルックアップテーブルと、
前記複数の変換距離情報を補間法で変換させることによって前記映像信号を変換し、前記変換された映像信号の状態によって前記ルックアップテーブルから前記補正値を抽出して前記映像信号を補正する色補正部と、
を含む、平板表示装置の色補正装置。
【請求項２】
放送標準映像信号を平板表示装置を駆動する映像信号に補正する平板表示装置の色補正装置を通じて平板表示装置の色を補正する方法であって、
（a）放送標準映像信号を受信し、受信された映像信号に対する基準色座標上の頂点に対する階調値を抽出する段階と、
（b）前記受信された放送標準映像信号の基準色座標と平板表示装置の基準色座標に対して階調値とを比較して、所定の領域分割方法でそれぞれの色座標を９個の小領域に分割し、それぞれの分割された小領域を互いに異なる基準色座標の分割領域と一つずつ互いに対応させて、所定の変換距離情報を抽出する段階と、
（c）前記所定の変換距離情報を所定の補間法で変換させることによって、前記受信された放送標準映像信号を補正して、平板表示装置を駆動する映像信号で出力する段階と、
を含む、平板表示装置の色補正方法。
【請求項３】
前記所定の領域分割方法は、
（d）色座標の白色点から前記各基準色座標の頂点に至る線分と、色座標の白色点から、前記頂点からの延長線が前記各基準色座標の線分と会う内分点に至る線分とを抽出する段階と、
（e）色座標の白色点から、二つの階調値が最大になる点に至る線分を抽出する段階と、
（f）色座標上で二つの階調値が最大になる点（P、Q、S）から、各基準色座標の頂点（R、G、B）に至る線分を抽出する段階と、
（g）前記（d）、（e）、及び（f）段階の線分が境界になるように組み合わせて前記各基準色座標の領域を９個の小領域に分割する段階と、
を含む、請求項２に記載の平板表示装置の色補正方法。
【請求項４】
前記所定の変換距離情報は、前記各基準色座標の頂点から二つの階調値が最大になる点に至る線分に対する階調値距離、及び、色座標の白色点から前記頂点への延長線が前記各基準色座標の線分と会う内分点から、前記各基準色座標の頂点に至る線分に対する階調値距離を含む、請求項２に記載の平板表示装置の色補正方法。
【請求項５】
前記所定の補間法は、
（h-１）前記受信された放送標準映像信号の映像値（Ri、Gi、Bi）を構成する各座標値に対して、
数式(Ri’, Gi’, Bi’)=(Ri-min(Ri,Gi,Bi), Gi-min(Ri,Gi,Bi)-min(Ri,Gi,Bi))から、（Ri´、Gi´、Bi´）を計算する段階と、
（h-２）数式
【数１】
2005530449.tif 000014
から、Kを計算する段階と、
（h-３）数式
(Ri”, Gi”, Bi”)=(K×Ri’, K×Gi’, K×Bi’)
から、
０と、最大階調と、０と最大階調以外の数であるtとからなる変換値（Ri´´、Gi´´、Bi´´）を計算する段階と、
（h-４）前記９個の小領域のうちの対応しているいずれか一つの領域の階調値に対して、前記変換値（Ri´´、Gi´´、Bi´´）をなす各座標値のうちの前記tに対して、
数式
【数２】
2005530449.tif 000015
（ここで、tは、Ri´´、Gi´´、Bi´´のうちの０と最大階調以外の数であり、m１、n１、a及びbは、前記所定の変換距離情報である）、
数式
【数３】
2005530449.tif 000016
（ここで、tは、Ri´´、Gi´´、Bi´´のうちの０と最大階調以外の数であり、e及びfは、前記所定の変換距離情報である）及び
数式
【数４】
2005530449.tif 000017
（ここで、tは、Ri´´、Gi´´、Bi´´のうちの０と最大階調以外の数であり、a、b、m２及びn２は、前記所定の変換距離情報である）のうちのいずれか一つの数式を適用して、変換値（Ro´´、Go´´、Bo´´）をなすいずれか一つの座標値を求め、変換値（Ro´´、Go´´、Bo´´）の残り二つの座標値は前記０と最大階調を維持する変換値（Ro´´、Go´´、Bo´´）を計算する段階と、
（h-５）数式
【数５】
2005530449.tif 000018
から、平板表示装置を駆動する映像信号の階調値（Ro、Go、Bo）を計算する段階と、
を含む、請求項２に記載の平板表示装置の色補正方法。
【発明の詳細な説明】
【技術分野】
【０００１】
本発明は、映像信号の色補正装置及びその方法に関し、より詳しくは、平板表示装置における色補正装置及びその方法に関するものである。
【背景技術】
【０００２】
従来のカラー表示装置としてCRTは、優位な位置を占めていたため、映像を表現することにおいて、CRTの標準蛍光体仕様と、これによるR（red）、G（green）、B（blue）信号規格またはCy（cyan）、Ma（magenta）、Ye（yellow）信号規格とによって、表示装置の色に対する標準化が可能であった。しかしながら、最近、例えば液晶表示装置（LCD、liquid crystal display）、PDP（plasma display panel）、ELD（electro luminescent display）、FED（field emission diode）など次世代平板表示装置（FPD、flat panel display）の市場規模が、CRTと同じほどの大きさに成長しており、その応用製品群も、ノートブックパソコン、モニターを越えて、テレビへの市場拡大を図っているのが実情である。
【０００３】
LCDなどの平板表示装置がCRTの主導市場であるテレビ市場に進入するためには、いろいろ解決しなければならない技術的な問題点、例えば、色再現性、色の規格化などがある。最近、色フィルターに対する技術開発は、継続して行われて、LCDがCRTの色再現性に対応できる程度の色再現性を達成したが、LCDの基準色は、CRTの基準色とは異なっているため、CRT規格に合わせられた放送信号を利用してLCDに表示する場合、CRTとは色が少し異なって表現される点を避けることができない。
【０００４】
このような問題は、LCDだけでなく、平板表示装置で現れる一般的な現象であって、通常のCIE（Commission Internationale de 1´Eclairage）などの色座標に示した時、NTSC（national television system committee）やPAL（phase alternating by line system）方式など放送標準になっているCRTに対する色座標上の色と、平板表示装置上の色とは、差がある。
【発明の開示】
【発明が解決しようとする課題】
【０００５】
このような色の差を解決するために、色座標上において、中心ホワイト（白色）点からCRT放送標準色を示す三角形の頂点を接続した線が平板表示装置の色を示す三角形と会う三点を頂点とする三角形内で色相を表現する方法が提案された。しかしながら、この方法は、元来平板パネルが再現できる色相の範囲を減らす結果を招き、表示装置の色再現性を悪化させる。
【０００６】
したがって本発明の目的は、平板表示装置の平板パネルが、放送標準になっている映像信号を受けて表示する場合、色ずれのない色再現性を有するようにする映像表示装置を提供することにある。
【課題を解決するための手段】
【０００７】
本発明の一実施例による平板表示装置の色補正装置は、受信された映像信号に対する色座標を９個の小領域に分割して、それぞれの分割された小領域を互いに異なる基準色座標の分割領域と一つずつ互いに対応させて算出された複数の変換距離情報及び前記映像信号の状態による補正値が記憶されているルックアップテーブルそして、前記複数の変換距離情報を補間法で変換させることによって前記映像信号を変換し、前記変換された映像信号の状態によって前記ルックアップテーブルから前記補正値を抽出して前記映像信号を補正する色補正部を含む。
【０００８】
本発明の一実施例による平板表示装置の色補正方法は、放送標準映像信号を平板表示装置を駆動する映像信号に補正して出力する色補正装置を含む平板表示装置の色補正装置を通じて平板表示装置の色を補正する方法であって、（a）放送標準映像信号を受信し、受信された映像信号に対する基準色座標上の頂点に対する階調値を抽出する段階、（b）前記受信された放送標準映像信号の基準色座標と平板表示装置の基準色座標に対して階調値で比較して、所定の領域分割方法でそれぞれの色座標を９個の小領域に分割し、それぞれの分割された小領域を互いに異なる基準色座標の分割領域と一つずつ互いに対応させ、所定の変換距離情報を抽出する段階、そして（c）前記所定の変換距離情報を所定の補間法で変換させることによって、前記受信された放送標準映像信号を補正して平板表示装置を駆動する映像信号で出力する段階を含む。
【０００９】
本発明の一実施例による所定の領域分割方法は、（d）色座標の白色点から前記各基準色座標の頂点に至る線分、及び色座標の白色点から前記頂点への延長線が前記各基準色座標の線分と会う内分点に至る線分を抽出する段階、（e）色座標の白色点から二つの階調値が最大になる点を至る線分を抽出する段階、（f）色座標上で二つの階調値が最大になる点で各基準色座標の頂点に至る線分を抽出する段階、そして（g）前記（d）、（e）、及び（f）段階の線分を境界になるように組み合わせて前記各基準色座標の領域を９個の小領域に分割する段階を含む。
【００１０】
所定の変換距離情報は前記各基準色座標の頂点から二つの階調値が最大になる点に至る線分に対する階調値距離、及び色座標の白色点から前記頂点への延長線が前記各基準色座標の線分と会う内分点から前記各基準色座標の頂点に至る線分に対する階調値距離を含むことができる。
【００１１】
所定の補間法は、
（h-１）前記受信された放送標準映像信号の階調値（Ri、Gi、Bi）をなす各座標値に対して、
数式:
(Ri’, Gi’, Bi’)=(Ri-min(Ri,Gi,Bi), Gi-min(Ri,Gi,Bi)-min(Ri,Gi,Bi))
から、（Ri´、Gi´、Bi´）を計算する段階と;
（h-２）数式:
【００１２】
【数１】
2005530449.tif 000003
【００１３】
から、Kを計算する段階と;
（h-３）数式:
(Ri”, Gi”, Bi”)=(K×Ri’, K×Gi’, K×Bi’)
から、０、最大階調及び０と最大階調以外の数であるtとからなる変換値（Ri´´、Gi´´、Bi´´）を計算する段階と;
（h-４）前記９個の小領域のうち対応しているいずれか一つの領域の階調値に対して前記変換値（Ri´´、Gi´´、Bi´´）をなす各座標値のうちの前記tに対して、
数式:
【００１４】
【数２】
2005530449.tif 000004
【００１５】
（tはRi´´、Gi´´、Bi´´のうち０と最大階調以外の数であり、m１、n１、a及びbは前記所定の変換距離情報である）;
数式:
【００１６】
【数３】
2005530449.tif 000005
【００１７】
（tはRi´´、Gi´´、Bi´´のうちの０と最大階調以外の数であり、e及びfは前記所定の変換距離情報である）;及び
数式:
【００１８】
【数４】
2005530449.tif 000006
【００１９】
（tはRi´´、Gi´´、Bi´´のうちの０と最大階調以外の数であり、a、b、m２及びn２は前記所定の変換距離情報である）のうちのいずれか一つの数式を適用して、他の変換値（Ro´´、Go´´、Bo´´）をなすいずれか一つの座標値を求め、変換値（Ro´´、Go´´、Bo´´）の残り二つの座標値は前記０と最大階調を維持する変換値（Ro´´、Go´´、Bo´´）を計算する段階と;
（h-５）数式:
【００２０】
【数５】
2005530449.tif 000007
【００２１】
から平板表示装置を駆動する映像信号の階調値（Ro、Go、Bo）を計算する段階と、
を含む。
【発明の効果】
【００２２】
本発明の平板表示装置の平板パネルは、放送標準になっている映像信号を、色ずれなく、平板パネルが再現できる色の最大範囲までの色再現性で、表示することができる。
【発明を実施するための最良の形態】
【００２３】
本発明の好ましい実施例が示されている添付した図面を参照して、以下に、本発明を詳細に説明する。しかし、本発明は、多様で相異なる形態で実現することができ、ここで説明する実施例に限定されるものではない。
【００２４】
これから、本発明の実施例による平板表示装置の色補正装置及びその方法について図面を参照して詳細に説明する。
図１は、本発明の実施例による平板表示装置用の色補正装置のブロック図を示している。
図１に示すように、本発明の実施例による平板表示装置の色補正装置は、ルックアップテーブル１００、係数算出部２００及び色補正部３００を含む。
【００２５】
係数算出部２００は、外部から映像信号（Ri、Gi、Bi）が入力される最小値抽出部２０１と、この最小値抽出部２０１を通じて映像信号（Ri、Gi、Bi）の供給を受ける１次因数計算器（first factor calculator）２０２とを含む。また、係数算出部２００は、１次因数計数器２０２からの出力信号（Ri´、Gi´、Bi´）が供給される最大値抽出部２０３と、最大値抽出部２０３から供給される信号（Ri´、Gi´、Bi´）の最大値（MAX）が供給される係数計算器２０４と、１次因数計算器２０２及び係数計算器２０４からそれぞれ映像信号（Ri´、Gi´、Bi´）及び係数（K）が供給される２次因数計算器２０５と、を含んでいる。
【００２６】
色補正部３００は、最小値抽出部２０１からの最小値情報信号（MIN_ID）、最大値抽出部２０３からの最大値情報信号（MAX_ID）、２次因数計算器２０５からの出力信号（Ri"、Gi"、Bi"）及びルックアップテーブル１００からのデータの供給を受けるマルチプレクサー部３０１と、係数算出部２００に接続された補正部３０２と、を含む。
【００２７】
最小値情報信号（MIN_ID）は、どの映像信号が最小値を持っているかを示す情報であり、最大値情報信号（MAX_ID）は、どの映像信号が最大値を持っているかを示す信号である。
【００２８】
マルチプレクサー部３０１は、係数算出部２００の２次因数計算器２０５からの出力信号（Ri"、Gi"、Bi"）の供給をそれぞれ受ける第１乃至第３マルチプレクサー３１〜３３と、これら第１乃至第３マルチプレクサー３１〜３３からの出力信号を選択して出力する第４マルチプレクサー３４と、を含んでいる。
【００２９】
補正部３０２は、マルチプレクサー部３０１からの出力信号（Ro"、Go"、Bo"）、係数算出部２００の係数算出器２０４からの係数（K）、及び最小値抽出部１０１からの最小値[min（Ri、Gi、Bi）]（MIN）をそれぞれ受信するR補正部３５、G補正部３６及びB補正部３７であって、補正された最終映像信号（Ro、Go、Bo）をそれぞれ出力するR補正部３５、G補正部３６及びB補正部３７を含んでいる。
【００３０】
入力される映像信号に対する色補正を行う前に、受信される放送標準映像信号に対する基準色座標上の階調値（濃淡度）（gray value）は、抽出されて、平板表示装置の基準色座標に対する階調値と比較され、また、所定の領域分割方法で、それぞれの色座標は、９個の小領域に分割される。それぞれの分割された小領域は、互いに異なる基準色座標の分割領域と一つずつ互いに対応させられ、所定の変換距離情報は、抽出されてルックアップテーブル１００に記憶される。
【００３１】
所定の変換距離情報は、各基準色座標の頂点から二つの階調値が最大になる点を至る線分に対する階調値距離と、色座標の白色点から前記頂点への延長線が前記各基準色座標の線分と会う内分点から前記各基準色座標の頂点に至る線分に対する階調値距離とを含む。
【００３２】
色補正装置は、所定の変換距離情報が予め決められた補間法で変換させることによって、受信される放送標準映像信号を補正して、平板表示装置を駆動する映像信号で出力する。
まず、図２、図３a、図３b、及び図３cを参照して、本発明の実施例によって色座標を９個の小領域に分割する方法を説明する。
【００３３】
受信された放送標準映像信号の基準色座標と平板表示装置の基準色座標を９個の小領域に分割する方法は、まず、色座標の白色点（w）から各基準色座標の頂点（R、G、B）に至る線分と、色座標の白色点（w）から、頂点（R、G、B）からの延長線が各基準色座標の線分と会う内分点（M１、M２、M１´、M２´、M１"、M２"）に至る線分とを抽出する。
【００３４】
次に、色座標の白色点（w）から、二つの階調値が最大になる点（P、Q、S）に至る線分を抽出し、また、色座標上で二つの階調値が最大になる点（P、Q、S）から、各基準色座標の頂点（R、G、B）に至る線分も抽出する。そして前記抽出した線分を境界になるように組み合わせて、これら各基準色座標の領域を９個の小領域に分割する。つまり、各映像信号が最大である場合、それぞれの信号に対して３個の領域に分割される。例えば、図４a乃至図４cは、B、G、R各映像信号が最大である場合、それぞれ３個の領域に分割されたことを示した図面であって、下記する詳細な説明のためにいくつかの変数で表示した。
【００３５】
図３aは、B映像信号が最大である場合に３個の領域に分割されたことを示す。放送標準映像信号の基準色座標でA領域は、頂点w、P１、M１からなる領域であり、このA領域は、平板表示装置の基準色座標で頂点w、P２、B２からなる領域と対応している。同様に、w、M１、B１からなるB領域は、w、B２、M２領域と、w、B１、Q１からなるC領域は、w、M２、Q２領域とそれぞれ対応している。
【００３６】
図３bは、G映像信号が最大である場合、３個の領域に分割されたことを示した図面である。前記のような方法で、w、S１、G１からなるA´領域は、w、S２、G２領域と、w、M１'、G１からなるB´領域は、w、G２、M２´領域と、w、G１、P１からなるC´領域は、w、M２´、P２領域とそれぞれ対応している。
【００３７】
図３cは、R映像信号が最大である場合、３個の領域に分割されたことを示した図面である。この図面でも前述したことと同じ方法で、w、Q１、R１からなるA"領域は、w、Q２、R２領域と、w、M１"、R１からなるB"領域は、w、R２、M２"領域と、w、R１、S１からなるC"領域は、w、M２"、S２領域とそれぞれ対応している。
【００３８】
ここで、内分点M１は、頂点G１と頂点B１をm１:n１（m１>n１）に内分する点であり、M２は、頂点R２と頂点B２をm２:n２（m２>n２）に内分する点である。同様に、M１'は、頂点R１と頂点G１をm１´:n１´（m１´>n１´）に内分する点であり、M２'は、頂点B２と頂点G２をm２´:n２´（m２´>n２´）に内分する点であり、M１"は、頂点B１と頂点R１をm１":n１"（m１">n１"）に内分する点である。また、M２"は、頂点G２と頂点R２をm２":n２"（m２">n２"）に内分する点である。
【００３９】
前記のように計算される階調値距離であって、色座標の白色点（w）から前記頂点への延長線が前記各基準色座標の線分と会う内分点から、前記各基準色座標の頂点に至る線分に対する階調値距離は、次のように計算される。つまり、内分点M１から頂点B１に至る階調値距離は、eであり、内分点M２から頂点B２に至る階調値距離は、fである。また、内分点M１´から頂点G１に至る階調値距離は、e´であり、内分点M２´から頂点G２に至る階調値距離は、f´で、内分点M１"から頂点R１に至る階調値距離は、e"である。内分点M２"から頂点R２に至る階調値距離は、f"である。
【００４０】
また、前記各基準色座標の頂点から、二つの階調値が最大になる点に至る線分に対する階調値距離は、次のように計算される。頂点B１とB２から、緑色及び青色の最大階調点P１とP２に至る距離は、それぞれaとbであり、頂点B１とB２から、赤色及び青色の最大階調点Q１及びQ２に至る距離は、それぞれcとdである。頂点G１とG２から、緑色及び赤色の最大階調点S１とS２に至る距離は、それぞれa´とb´であり、頂点G１とG２から、緑色及び青色の最大階調点P１とP２に至る距離は、それぞれc´とd´である。また、頂点R１とR２から、青色及び赤色の最大階調点Q１とQ２に至る距離は、それぞれa"、b"であり、頂点R１とR２から、緑色及び赤色の最大階調点S１とS２に至る距離は、それぞれc"とd"である。
【００４１】
前記のように計算されるa、b、c、d、e、f、m１、m２、n１及びn２；a´、b´、c´、d´、e´、f´、m１´、m２´、n１´及びn２´；並びにa"、b"、c"、d"、e"、f"、m１"、m２"、n１"及びn２"値は、それぞれの基準色座標のみ決められれば一定の値を有する固有値となる。
【００４２】
図４に、本発明の実施例によってB映像信号が最大である場合、色補正を行う過程を順次に示す。つまり、前述したB映像信号が最大である場合、３個の領域に分割されたそれぞれの基準色座標において、補間法を利用して、放送標準映像信号の小領域A、B、Cを、それぞれ対応する平板表示装置の基準色座標の領域に色座標変換する過程である。
【００４３】
添付した図４に示すように、まず、テレビやビデオ信号を受けて表示することができる平板表示装置を動作させるためにパワースイッチなどをオンすれば（S１００）、放送標準映像信号になっているテレビやビデオ信号を受信し、受信された映像信号に対する基準色座標上の階調値を抽出する。平板表示装置の色座標は、平板パネルの特性に合わせて抽出された値をハードウェアやメモリからローディングする（S１００）。この時、NTSC信号、PAL信号またはHDTV信号を受信して処理することを仮定したが、いずれか一つの放送信号のみを受信するようになっている場合には、当該色座標と平板表示装置の色座標は決められた値にセッティングされてパワーをオンするたびに自動的にローディングさせることもできる。
【００４４】
次に、前述したように、前記受信された放送標準映像信号の基準色座標及び平板表示装置の基準色座標の階調値は、比較され、所定の領域分割方法でそれぞれの色座標は、９個の小領域に分割される。分割された小領域それぞれを互いに異なる基準色座標の分割領域と一つずつ対応させて、所定の変換距離情報を抽出する（S１２０）。ここまでの過程は、放送標準信号がNTSC信号、PAL信号またはHDTV信号の間で互いに入れ替わる時、またはいずれか一つの放送信号のみを受信するようになっている場合、最初ブーティング時にのみ計算される過程である。このような領域分割及び変換距離情報が求められれば、ルックアップテーブル１００に求められたデータを記憶させる（S１３０）。
【００４５】
その後、入力される映像信号（Ri、Gi、Bi）は、補間法を利用してリアルタイムで信号変換される。
B映像信号が最大である場合、適用される領域は、９個の小領域の中でA、B及びC領域であり、適用される変数値は、前記で求めた変数の中で、a、b、c、d、e、f、m１、m２、n１及びn２である。
【００４６】
このような適用変数から、色補正処理装置は、前記した変換距離情報を利用して、A、B、C領域を対応する平板表示装置の基準色座標上の領域に、補間法を利用して変換することによって、受信された放送標準映像信号を補正する。このような動作は、後で図２を参照して説明する。
【００４７】
まず、係数算出部２００の最小値抽出部２０１は、放送標準映像信号である映像信号（Ri、Gi、Bi）を受信して、これら映像信号（Ri、Gi、Bi）の最小値を抽出して、最小値[min（Ri、Gi、Bi）]（MIN）と最小値情報信号（MIN_ID）とを生成する（S１４０）。その後、１次因数計算器２０２は、最小値抽出部２０１から印加された最小値（MIN）と、この最小値抽出部２０１を通じて印加された映像信号（Ri、Gi、Bi）とを利用して、この映像信号（Ri、Gi、Bi）を構成する各座標値に対して[数式１]を利用して（Ri´、Gi´、Bi´）を計算する（S１５０）；
(Ri’, Gi’, Bi’)=(Ri-min(Ri,Gi,Bi), Gi-min(Ri,Gi,Bi)-min(Ri,Gi,Bi))          (1)。
【００４８】
その後、最大値抽出部２０３は、１次因数計算器２０２からの出力信号（Ri´、Gi´、Bi´）から最大値[max（Ri´、Gi´、Bi´）]（MAX）を抽出して、係数計算器２０４に印加し、また、最大値情報信号（MAX_ID）を色補正部３００に供給する（S１６０）。  
係数計算器２０４は、[数式２]を利用して係数（K）を算出する（S１７０）。  
【００４９】
【数６】
2005530449.tif 000008
【００５０】
次に、２次因数計算器２０５は、[数式３]によって係数（K）を利用して（Ri"、Gi"、Bi"）を算出する（S１８０）；
(Ri”, Gi”, Bi”)=(K×Ri’, K×Gi’, K×Bi’)          (3)。
【００５１】
この時、算出された変換値（Ri´´、Gi´´、Bi´´）は、０と、最大階調と、０と最大階調以外の数であるtとからなる。
次に、色補正部３００のマルチプレクサー部３０１において、最小値抽出部２０１からの最小値情報信号（MIN_ID）と最大値抽出部２０３からの最大値情報信号（MAX_ID）とによって、第１乃至第３マルチプレクサー３１〜３３のうちの相当するマルチプレクサーが、イネーブルされて選択される。
【００５２】
したがって、相当するマルチプレクサー３１〜３３がイネーブルされれば、ルックアップテーブル１００から最大値（MAX）と最小値（MIN）を有する信号（Ri"、Gi"、Bi"）を除いた残り一つの信号（Ri"、Gi"、Bi"）値に相当するデータが選択されて、当該マルチプレクサー３１〜３３に印加される。
【００５３】
この時、ルックアップテーブル１００には、９個の小領域に対する全ての場合に対応する領域の階調値に対して変換値（Ri"、Gi"、Bi"）をなす座標値のうちのtによって、[数式４]、[数式５]及び[数式６]のうちのいずれか一つの数式を適用して、変換値（Ro"、Go"、Bo"）のうちの"０"と"最大階調"を除いた残り一つの変換値（Ro"、Go"、Bo"）が、既に算出されて記憶されている。
【００５４】
【数７】
2005530449.tif 000009
【００５５】
ここで、tは、Ri"、Gi"、Bi"のうちの０と最大階調以外の数であり、m１、n１、a及びbは、前記所定の変換距離情報である。
【００５６】
【数８】
2005530449.tif 000010
【００５７】
ここで、tは、Ri"、Gi"、Bi"のうちの０と最大階調以外の数であり、e及びfは、所定の変換距離情報である。
【００５８】
【数９】
2005530449.tif 000011
【００５９】
ここで、tは、Ri"、Gi"、Bi"のうちの０と最大階調以外の数であり、a、b、m２及びn２は、所定の変換距離情報である。
最大値情報信号（MAX_ID）と最小値情報信号（MIN_ID）によって決められるt値による当該データが、制御装置（図示せず）によってルックアップテーブル１００から選択されてマルチプレクサー３１〜３３に供給されれば、マルチプレクサー３４は、イネーブル状態の当該マルチプレクサー３１〜３３から出力される信号（Ro"、Go"、Bo"）を出力する（S１９０）。
【００６０】
したがって、マルチプレクサー３４からの出力信号（Ro"、Go"、Bo"）は、"０"と、"最大階調"と、既にルックアップテーブル１００に記憶されているt値に対する当該データとからなる。
【００６１】
その後、補正部３０２の各補正部３５〜３７は、[表１]の[数式７]を利用して平板表示装置を駆動する当該R、G、B階調信号に対する最終階調値（Ro、Go、Bo）を各々計算して出力する（S２００、S２１０）。
【００６２】
【数１０】
2005530449.tif 000012
【００６３】
このように色度補正装置を通じて入力される放送標準映像信号（Ri、Gi、Bi）を平板表示装置用映像信号（Ro、Go、Bo）に補正すれば、この映像信号（Ro、Go、Bo）は、平板パネルの特性（構造と解像度など）に合わせて処理するシグナルコントローラーなどの処理を経て、平板パネルを駆動する（S２２０）。
【００６４】
このような補間法は、G映像信号が最大である場合に適用されるA´、B´、C´領域及び、R映像信号が最大である場合に適用されるA"、B"、C"領域に対しても、適用される。つまり、A´、B´、C´領域とA"、B"、C"領域とにそれぞれ適用される変数値a´、b´、c´、d´、e´、f´、m１´、m２´、n１´及びn２´並びにa"、b"、c"、d"、e"、f"、m１"、m２"、n１"及びn２"を[数式１]乃至[数式７]に適用することによって、放送標準映像信号（Ri、Gi、Bi）は、平板表示装置を駆動する映像信号（Ro、Go、Bo）に変換される。
【００６５】
例えば、２５６個の階調（０〜２５５）を表示する平板表示装置に入力される放送標準映像信号が（Ri、Gi、Bi）=（２、４、７）である時、この入力映像信号（Ri、Gi、Bi）に対する階調値は、前記A領域に属し、既に記載した各数式から計算される値は、（Ri´、Gi´、Bi´）=（０、２、５）、K=２５５/５、（Ri"、Gi"、Bi"）=（０、５１０/５、２５５）、t=５１０/５、（Ro"、Go"、Bo"）=（０、{５１０/５-２５５×n１/（m１+n１）}×b/a、２５５）になって、（Ro、Go、Bo）=（０、{２-５×n１/（m１+n１）}×b/a、５）に変換される。
【００６６】
【表１】
2005530449.tif 000013
【００６７】
以上、本発明の好ましい実施例について詳細に説明したが、本発明の権利範囲はこれに限定されるものではなく、請求範囲で定義している本発明の基本概念を利用した当業者の多様な変形及び改良形態もまた本発明の権利範囲に属する。
【図面の簡単な説明】
【００６８】
【図１】本発明の実施例による平板表示装置の色度補正装置に対するブロック図である。
【図２】本発明の実施例による平板表示装置の色度補正装置における色座標を９個の小領域に分割する方法を示す図面である。
【図３ａ】図３でB階調が最大である場合に３個の領域に分割して色度を補正する補間法を説明するための図面である。
【図３ｂ】図３でG階調が最大である場合に３個の領域に分割して色度を補正する補間法を説明するための図面である。
【図３ｃ】図３でR階調が最大である場合に３個の領域に分割して色度を補正する補間法を説明するための図面である。
【図４】本発明の実施例による平板表示装置の色度補正装置でB階調が最大である場合に色を補正する補間法を説明するための流れ図である。
【図１】
2005530449.tif 000019
【図２】
2005530449.tif 000020
2005530449.tif 000021
2005530449.tif 000022
【図４】
2005530449.tif 000023
【国際調査報告】
2005530449.tif 000024
2005530449.tif 000025